(57)【特許請求の範囲】
【請求項１】
無線通信システムにおけるユーザ機器（ＵＥ）により非周期的サウンディング参照信号（ＳＲＳ）を送信する方法であって、
前記方法は、
ＰＤＣＣＨ（ｐｈｙｓｉｃａｌ  ｄｏｗｎｌｉｎｋ  ｃｏｎｔｒｏｌ  ｃｈａｎｎｅｌ）を介して、ダウンリンクスケジューリングに対するダウンリンク制御情報（ＤＣＩ）を受信することであって、前記ＤＣＩは、前記非周期的ＳＲＳの送信をトリガするトリガを少なくとも含む、ことと、
前記トリガを検出することと、
前記ＤＣＩに搬送波指示子フィールド（ＣＩＦ）が含まれる場合に、複数の集合されたアップリンク（ＵＬ）コンポーネント搬送波（ＣＣ）のうちの特定のＵＬ  ＣＣを介してＳＲＳを非周期的に送信することであって、前記特定のＵＬ  ＣＣは、前記ＣＩＦにより識別されるＵＬ  ＣＣである、ことと、
前記ＤＣＩにＣＩＦが含まれない場合に、前記複数の集合されたＵＬ  ＣＣのうちの前記ＤＣＩによりＰＤＳＣＨ（ｐｈｙｓｉｃａｌ  ｄｏｗｎｌｉｎｋ  ｓｈａｒｅｄ  ｃｈａｎｎｅｌ）がスケジューリングされるＤＬ  ＣＣと連結されたＵＬ  ＣＣを介してＳＲＳを非周期的に送信することと
を含み、
前記ＳＲＳを非周期的に送信するステップは、
前記ＳＲＳを、前記特定のＵＬ  ＣＣ内のＵＥに特有の態様で決定されたＳＲＳ帯域幅のうち最も大きい帯域幅に割り当てることを含む、方法。
【請求項２】
前記特定のＵＬ  ＣＣは、前記ＰＤＣＣＨが割り当てられたＤＬ  ＣＣと連結されたＵＬ  ＣＣである、請求項１に記載の方法。
【請求項３】
前記ＤＬ  ＣＣと前記ＵＬ  ＣＣとの連結は、システム情報に基づいて決定される、請求項２に記載の方法。
【請求項４】
前記ＳＲＳを非周期的に送信するステップは、前記ＳＲＳを複数のアンテナを介して非周期的に送信することを含む、請求項１に記載の方法。
【請求項５】
無線通信システムにおいて非周期的サウンディング参照信号（ＳＲＳ）を送信するように構成されたユーザ機器であって、
前記ユーザ機器は、
ＲＦ（ｒａｄｉｏ  ｆｒｅｑｕｅｎｃｙ）送信機と、
前記ＲＦ送信機と連結されるプロセッサと
を含み、
前記プロセッサは、
ＰＤＣＣＨ（ｐｈｙｓｉｃａｌ  ｄｏｗｎｌｉｎｋ  ｃｏｎｔｒｏｌ  ｃｈａｎｎｅｌ）を介して、ダウンリンクスケジューリングに対するダウンリンク制御情報（ＤＣＩ）を受信することであって、前記ＤＣＩは、前記非周期的ＳＲＳの送信をトリガするトリガを少なくとも含む、ことと、
前記トリガを検出することと、
前記ＤＣＩに搬送波指示子フィールド（ＣＩＦ）が含まれる場合に、複数の集合されたアップリンク（ＵＬ）コンポーネント搬送波（ＣＣ）のうちの特定のＵＬ  ＣＣを介してＳＲＳを非周期的に送信することであって、前記特定のＵＬ  ＣＣは、前記ＣＩＦにより識別されるＵＬ  ＣＣである、ことと、
前記ＤＣＩにＣＩＦが含まれない場合に、前記複数の集合されたＵＬ  ＣＣのうちの前記ＤＣＩによりＰＤＳＣＨ（ｐｈｙｓｉｃａｌ  ｄｏｗｎｌｉｎｋ  ｓｈａｒｅｄ  ｃｈａｎｎｅｌ）がスケジューリングされるＤＬ  ＣＣと連結されたＵＬ  ＣＣを介してＳＲＳを非周期的に送信することと
を実行するように構成され、
前記ＳＲＳを非周期的に送信するステップは、
前記ＳＲＳを、前記特定のＵＬ  ＣＣ内のＵＥに特有の態様で決定されたＳＲＳ帯域幅のうち最も大きい帯域幅に割り当てることを含む、ユーザ機器。
【請求項６】
前記特定のＵＬ  ＣＣは、前記ＰＤＣＣＨが割り当てられたＤＬ  ＣＣと連結されたＵＬ  ＣＣである、請求項５に記載のユーザ機器。
【請求項７】
前記ＤＬ  ＣＣと前記ＵＬ  ＣＣとの連結は、システム情報に基づいて決定される、請求項６に記載のユーザ機器。
【発明の詳細な説明】
【技術分野】
【０００１】
本発明は、無線通信に関し、より詳しくは、無線通信システムにおける非周期的サウンディング参照信号送信方法及び装置に関する。
【背景技術】
【０００２】
無線通信システムでは、データの送／受信、システム同期獲得、チャネル情報フィードバックなどのためにアップリンクチャネルまたはダウンリンクチャネルを推定する必要がある。無線通信システム環境では、多重経路時間遅延のためフェーディングが発生するようになる。フェーディングによる急激な環境変化により発生する信号の歪曲を補償して送信信号を復元する過程をチャネル推定という。また、端末が属するセル或いは他のセルに対するチャネル状態（ｃｈａｎｎｅｌ  ｓｔａｔｅ）を測定する必要がある。チャネル推定またはチャネル状態測定のために、一般的に送受信機が相互間に知っている参照信号（ＲＳ；Ｒｅｆｅｒｅｎｃｅ  Ｓｉｇｎａｌ）を用いてチャネル推定を実行するようになる。
【０００３】
参照信号送信に使われる副搬送波を参照信号副搬送波といい、データ送信に使われるリソース要素をデータ副搬送波という。ＯＦＤＭシステムにおいて、参照信号は、全ての副搬送波に割り当てる方式及びデータ副搬送波間に割り当てる方式がある。参照信号を全ての副搬送波に割り当てる方式は、チャネル推定性能の利得を得るために、プリアンブル信号のように参照信号のみからなる信号を用いる。これを使用する場合、一般的に参照信号の密度が高いため、データ副搬送波間に参照信号を割り当てる方式に比べてチャネル推定性能が改善されることができる。然しながら、データの送信量が減少されるため、データの送信量を増大させるためには、データ副搬送波間に参照信号を割り当てる方式を使用するようになる。このような方法を使用する場合、参照信号の密度が減少するため、チャネル推定性能の劣化が発生するようになり、これを最小化することができる適切な配置が要求される。
【０００４】
受信機は、参照信号の情報を知っているため、受信された信号でこれを分けてチャネルを推定することができ、推定されたチャネル値を補償し、送信端で送ったデータを正確に推定することができる。送信機で送る参照信号をｐ、参照信号が送信中に経るようになるチャネル情報をｈ、受信機で発生する熱雑音をｎ、受信機で受信された信号をｙとすると、ｙ＝ｈ・ｐ＋ｎのように示すことができる。この時、参照信号ｐは、受信機が既に知っているため、ＬＳ（Ｌｅａｓｔ  Ｓｑｕａｒｅ）方式を用いる場合、数式１のようにチャネル情報
【０００５】
【化１】
0005625066.tif 000002
を推定することができる。
【０００６】
【数１】
0005625066.tif 000003
この時、参照信号ｐを用いて推定したチャネル推定値
【０００７】
【化２】
0005625066.tif 000004
に応じてその正確度が決定されるようになる。従って、正確なｈ値の推定のためには、
【０００８】
【化３】
0005625066.tif 000005
が０に収束しなければならず、このためには多くの個数の参照信号を用いてチャネルを推定することによって
【０００９】
【化４】
0005625066.tif 000006
の影響を最小化しなければならない。優秀なチャネル推定性能のための多様なアルゴリズムが存在することができる。
【００１０】
アップリンク参照信号は、復調参照信号（ＤＭＲＳ；Ｄｅｍｏｄｕｌａｔｉｏｎ  Ｒｅｆｅｒｅｎｃｅ  Ｓｉｇｎａｌ）とサウンディング参照信号（ＳＲＳ；Ｓｏｕｎｄｉｎｇ  Ｒｅｆｅｒｅｎｃｅ  Ｓｉｇｎａｌ）とに区分されることができる。ＤＭＲＳは、受信された信号の復調のためのチャネル推定に使われる参照信号である。ＤＭＲＳは、ＰＵＳＣＨまたはＰＵＣＣＨの送信と結合されることができる。ＳＲＳは、アップリンクスケジューリングのために端末が基地局に送信する参照信号である。基地局は、受信されたＳＲＳを介してアップリンクチャネルを推定し、推定されたアップリンクチャネルをアップリンクスケジューリングに用いる。ＳＲＳは、周期的（ｐｅｒｉｏｄｉｃ）に送信されたり、或いは基地局がＳＲＳの送信を必要とする時、基地局により誘発（ｔｒｉｇｇｅｒ）されて非周期的（ａｐｅｒｉｏｄｉｃ）に送信されることができる。
【００１１】
複数のコンポーネント搬送波（ＣＣ；Ｃｏｍｐｏｎｅｎｔ  Ｃａｒｒｉｅｒ）が定義された搬送波集合（ｃａｒｒｉｅｒ  ａｇｇｒｅｇａｔｉｏｎ）システムで、非周期的ＳＲＳが送信される方法に対しては、まだ、定義されたことがない。特に、複数のＣＣのうちいずれのＣＣを介して非周期的ＳＲＳを送信するかが決定されるべき必要がある。
【発明の概要】
【発明が解決しようとする課題】
【００１２】
本発明の技術的課題は、無線通信システムにおける非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）送信方法及び装置を提供することである。
【課題を解決するための手段】
【００１３】
一態様において、無線通信システムにおける端末（ＵＥ；Ｕｓｅｒ  Ｅｑｕｉｐｍｅｎｔ）により実行される非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）送信方法が提供される。前記非周期的ＳＲＳ送信方法は、複数のアップリンク（ＵＬ；Ｕｐｌｉｎｋ）コンポーネント搬送波（ＣＣ；Ｃｏｍｐｏｎｅｎｔ  Ｃａｒｒｉｅｒ）のうち特定ＵＬ  ＣＣを介して非周期的ＳＲＳを送信することを含み、前記特定ＵＬ  ＣＣは、ダウンリンク（ＤＬ；Ｄｏｗｎｌｉｎｋ）グラント（ｇｒａｎｔ）に基づいて決定され、前記ダウンリンクグラントは、前記非周期的ＳＲＳの送信をトリガ（ｔｒｉｇｇｅｒ）するメッセージを含む。
【００１４】
前記特定ＵＬ  ＣＣは、前記ダウンリンクグラントが送信されるＤＬ  ＣＣと連結されたＵＬ  ＣＣである。
前記ダウンリンクグラントが送信されるＤＬ  ＣＣと前記特定ＵＬ  ＣＣとの連結は、システム情報（Ｓｙｓｔｅｍ  Ｉｎｆｏｒｍａｔｉｏｎ）に基づいて決定される。
前記特定ＵＬ  ＣＣは、前記ダウンリンクグラントによりスケジューリングされるＰＤＳＣＨ（Ｐｈｙｓｉｃａｌ  Ｄｏｗｎｌｉｎｋ  Ｓｈａｒｅｄ  Ｃｈａｎｎｅｌ）が送信されるＤＬ  ＣＣと連結されたＵＬ  ＣＣである。
【００１５】
前記ＰＤＳＣＨが送信されるＤＬ  ＣＣと前記特定ＵＬ  ＣＣとの連結は、システム情報に基づいて決定される。
【００１６】
前記ＰＤＳＣＨが送信されるＤＬ  ＣＣは、前記ダウンリンクグラントを介して送信されるＤＣＩ（Ｄｏｗｎｌｉｎｋ  Ｃｏｎｔｒｏｌ  Ｉｎｆｏｒｍａｔｉｏｎ）フォーマットに基づいて決定される。
【００１７】
前記ＰＤＳＣＨが送信されるＤＬ  ＣＣは、前記ＤＣＩフォーマット内の搬送波指示子フィールド（ＣＩＦ；Ｃａｒｒｉｅｒ  Ｉｎｄｉｃａｔｏｒ  Ｆｉｅｌｄ）により指示される。
【００１８】
前記非周期的ＳＲＳは、前記特定ＵＬ  ＣＣ内で周期的（ｐｅｒｉｏｄｉｃ）ＳＲＳの送信のために使われるリソースに割り当てられて送信される。
【００１９】
前記非周期的ＳＲＳは、前記特定ＵＬ  ＣＣ内で各システム帯域幅のうち使用可能な全体ＳＲＳ帯域幅に割り当てられて送信される。
【００２０】
前記非周期的ＳＲＳは、前記特定ＵＬ  ＣＣ内で端末特定（ＵＥ−ｓｐｅｃｉｆｉｃ）するように決定されるＳＲＳ帯域幅のうち最も大きい帯域幅に割り当てられて送信される。
【００２１】
前記非周期的ＳＲＳは、前記特定ＵＬ  ＣＣ内で端末特定するように決定されるＳＲＳ帯域幅の一部に割り当てられて送信される。
【００２２】
前記非周期的ＳＲＳは、複数のアンテナを介して送信される。
【００２３】
他の態様において、無線通信システムにおける端末が提供される。前記端末は、複数のＵＬ  ＣＣのうち特定ＵＬ  ＣＣを介して非周期的ＳＲＳを送信するＲＦ（Ｒａｄｉｏ  Ｆｒｅｑｕｅｎｃｙ）部、及び前記ＲＦ部と連結されるプロセッサを含み、前記特定ＵＬ  ＣＣは、ダウンリンクグラント（ｇｒａｎｔ）に基づいて決定され、前記ダウンリンクグラントは、前記非周期的ＳＲＳの送信をトリガ（ｔｒｉｇｇｅｒ）するメッセージを含む。
（項目１）
無線通信システムにおける端末（ＵＥ；Ｕｓｅｒ  Ｅｑｕｉｐｍｅｎｔ）により実行される非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）送信方法において、
複数のアップリンク（ＵＬ；Ｕｐｌｉｎｋ）コンポーネント搬送波（ＣＣ；Ｃｏｍｐｏｎｅｎｔ  Ｃａｒｒｉｅｒ）のうち特定ＵＬ  ＣＣを介して非周期的ＳＲＳを送信することを含み、
前記特定ＵＬ  ＣＣは、ダウンリンク（ＤＬ；Ｄｏｗｎｌｉｎｋ）グラント（ｇｒａｎｔ）に基づいて決定され、
前記ダウンリンクグラントは、前記非周期的ＳＲＳの送信をトリガ（ｔｒｉｇｇｅｒ）するメッセージを含むことを特徴とする非周期的ＳＲＳ送信方法。
（項目２）
前記特定ＵＬ  ＣＣは、前記ダウンリンクグラントが送信されるＤＬ  ＣＣと連結されたＵＬ  ＣＣであることを特徴とする項目１に記載の非周期的ＳＲＳ送信方法。
（項目３）
前記ダウンリンクグラントが送信されるＤＬ  ＣＣと前記特定ＵＬ  ＣＣとの連結は、システム情報（Ｓｙｓｔｅｍ  Ｉｎｆｏｒｍａｔｉｏｎ）に基づいて決定されることを特徴とする項目２に記載の非周期的ＳＲＳ送信方法。
（項目４）
前記特定ＵＬ  ＣＣは、前記ダウンリンクグラントによりスケジューリングされるＰＤＳＣＨ（Ｐｈｙｓｉｃａｌ  Ｄｏｗｎｌｉｎｋ  Ｓｈａｒｅｄ  Ｃｈａｎｎｅｌ）が送信されるＤＬ  ＣＣと連結されたＵＬ  ＣＣであることを特徴とする項目１に記載の非周期的ＳＲＳ送信方法。
（項目５）
前記ＰＤＳＣＨが送信されるＤＬ  ＣＣと前記特定ＵＬ  ＣＣとの連結は、システム情報に基づいて決定されることを特徴とする項目４に記載の非周期的ＳＲＳ送信方法。
（項目６）
前記ＰＤＳＣＨが送信されるＤＬ  ＣＣは、前記ダウンリンクグラントを介して送信されるＤＣＩ（Ｄｏｗｎｌｉｎｋ  Ｃｏｎｔｒｏｌ  Ｉｎｆｏｒｍａｔｉｏｎ）フォーマットに基づいて決定されることを特徴とする項目４に記載の非周期的ＳＲＳ送信方法。
（項目７）
前記ＰＤＳＣＨが送信されるＤＬ  ＣＣは、前記ＤＣＩフォーマット内の搬送波指示子フィールド（ＣＩＦ；Ｃａｒｒｉｅｒ  Ｉｎｄｉｃａｔｏｒ  Ｆｉｅｌｄ）により指示されることを特徴とする項目４に記載の非周期的ＳＲＳ送信方法。
（項目８）
前記非周期的ＳＲＳは、前記特定ＵＬ  ＣＣ内で周期的（ｐｅｒｉｏｄｉｃ）ＳＲＳの送信のために使われるリソースに割り当てられて送信されることを特徴とする項目１に記載の非周期的ＳＲＳ送信方法。
（項目９）
前記非周期的ＳＲＳは、前記特定ＵＬ  ＣＣ内で各システム帯域幅のうち使用可能な全体ＳＲＳ帯域幅に割り当てられて送信されることを特徴とする項目１に記載の非周期的ＳＲＳ送信方法。
（項目１０）
前記非周期的ＳＲＳは、前記特定ＵＬ  ＣＣ内で端末特定（ＵＥ−ｓｐｅｃｉｆｉｃ）するように決定されるＳＲＳ帯域幅のうち最も大きい帯域幅に割り当てられて送信されることを特徴とする項目１に記載の非周期的ＳＲＳ送信方法。
（項目１１）
前記非周期的ＳＲＳは、前記特定ＵＬ  ＣＣ内で端末特定（ＵＥ−ｓｐｅｃｉｆｉｃ）するように決定されるＳＲＳ帯域幅の一部に割り当てられて送信されることを特徴とする項目１に記載の非周期的ＳＲＳ送信方法。
（項目１２）
前記非周期的ＳＲＳは、複数のアンテナを介して送信されることを特徴とする項目１に記載の非周期的ＳＲＳ送信方法。
（項目１３）
無線通信システムにおいて、
複数のアップリンク（ＵＬ；Ｕｐｌｉｎｋ）コンポーネント搬送波（ＣＣ；Ｃｏｍｐｏｎｅｎｔ  Ｃａｒｒｉｅｒ）のうち特定ＵＬ  ＣＣを介して非周期的ＳＲＳを送信するＲＦ（Ｒａｄｉｏ  Ｆｒｅｑｕｅｎｃｙ）部；及び、
前記ＲＦ部と連結されるプロセッサ；を含み、
前記特定ＵＬ  ＣＣは、ダウンリンク（ＤＬ；Ｄｏｗｎｌｉｎｋ）グラント（ｇｒａｎｔ）に基づいて決定され、
前記ダウンリンクグラントは、前記非周期的ＳＲＳの送信をトリガ（ｔｒｉｇｇｅｒ）するメッセージを含むことを特徴とする端末。
（項目１４）
前記特定ＵＬ  ＣＣは、前記ダウンリンクグラントが送信されるＤＬ  ＣＣと連結されたＵＬ  ＣＣであることを特徴とする項目１３に記載の端末。
（項目１５）
前記ダウンリンクグラントが送信されるＤＬ  ＣＣと前記特定ＵＬ  ＣＣとの連結は、システム情報（Ｓｙｓｔｅｍ  Ｉｎｆｏｒｍａｔｉｏｎ）に基づいて決定されることを特徴とする項目１４に記載の端末。
【発明の効果】
【００２４】
搬送波集合（ｃａｒｒｉｅｒ  ａｇｇｒｅｇａｔｉｏｎ）システムにおいて、非周期的ＳＲＳが送信されるアップリンクコンポーネント搬送波（ＣＣ；Ｃｏｍｐｏｎｅｎｔ  Ｃａｒｒｉｅｒ）を効率的に指示することができる。
【図面の簡単な説明】
【００２５】
【図１】無線通信システムである。
【図２】３ＧＰＰ  ＬＴＥにおける無線フレーム（ｒａｄｉｏ  ｆｒａｍｅ）の構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】搬送波集合システムを構成する送信機と受信機の一例である。
【図７】搬送波集合システムを構成する送信機と受信機の他の例である。
【図８】搬送波集合システムを構成する送信機と受信機の他の例である。
【図９】非対称搬送波集合システムの一例を示す。
【図１０】提案された非周期的ＳＲＳ送信方法の一実施例を示す。
【図１１】本発明の実施例が具現される基地局及び端末のブロック図である。
【発明を実施するための形態】
【００２６】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。
【００２７】
説明を明確にするために、ＬＴＥ−Ａを中心に記述するが、本発明の技術的思想がこれに制限されるものではない。
【００２８】
図１は、無線通信システムである。
【００２９】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられることができる。端末（Ｕｓｅｒ  Ｅｑｕｉｐｍｅｎｔ；ＵＥ）１２は、固定されたり、移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００３０】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００３１】
この技術は、ダウンリンク（ｄｏｗｎｌｉｎｋ）またはアップリンク（ｕｐｌｉｎｋ）に使われることができる。一般的に、ダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００３２】
無線通信システムは、ＭＩＭＯ（Ｍｕｌｔｉｐｌｅ−Ｉｎｐｕｔ  Ｍｕｌｔｉｐｌｅ−Ｏｕｔｐｕｔ）システム、ＭＩＳＯ（Ｍｕｌｔｉｐｌｅ−Ｉｎｐｕｔ  Ｓｉｎｇｌｅ−Ｏｕｔｐｕｔ）システム、ＳＩＳＯ（Ｓｉｎｇｌｅ−Ｉｎｐｕｔ  Ｓｉｎｇｌｅ−Ｏｕｔｐｕｔ）システム、及びＳＩＭＯ（Ｓｉｎｇｌｅ−Ｉｎｐｕｔ  Ｍｕｌｔｉｐｌｅ−Ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号またはストリームの送信に使われる物理的または論理的アンテナを意味し、受信アンテナは、一つの信号またはストリームの受信に使われる物理的または論理的アンテナを意味する。
【００３３】
図２は、３ＧＰＰ  ＬＴＥにおける無線フレーム（ｒａｄｉｏ  ｆｒａｍｅ）の構造を示す。
【００３４】
これは３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節を参照することができる。図２を参照すると、無線フレームは１０個のサブフレーム（ｓｕｂｆｒａｍｅ）で構成され、一つのサブフレームは２個のスロット（ｓｌｏｔ）で構成される。無線フレーム内のスロットは、＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００３５】
一つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック（ＲＢ；Ｒｅｓｏｕｒｃｅ  Ｂｌｏｃｋ）は、リソース割当単位であり、一つのスロットで複数の連続する副搬送波を含む。前記無線フレームの構造は一例に過ぎない。従って、無線フレームに含まれるサブフレームの個数やサブフレームに含まれるスロットの個数、またはスロットに含まれるＯＦＤＭシンボルの個数は多様に変更されることができる。
【００３６】
３ＧＰＰ  ＬＴＥは、ノーマル（ｎｏｒｍａｌ）サイクリックプレフィックス（ＣＰ；Ｃｙｃｌｉｃ  Ｐｒｅｆｉｘ）で一つのスロットは７個のＯＦＤＭシンボルを含み、拡張（ｅｘｔｅｎｄｅｄ）ＣＰで一つのスロットは６個のＯＦＤＭシンボルを含むと定義している。
【００３７】
無線通信システムは、大きく、ＦＤＤ（Ｆｒｅｑｕｅｎｃｙ  Ｄｉｖｉｓｉｏｎ  Ｄｕｐｌｅｘ）方式とＴＤＤ（Ｔｉｍｅ  Ｄｉｖｉｓｉｏｎ  Ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占め、互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。従って、ＴＤＤに基づく無線通信システムにおけるダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信と端末によるアップリンク送信が同時に実行されることができない。アップリンク送信とダウンリンク送信がサブフレーム単位に区分されるＴＤＤシステムで、アップリンク送信とダウンリンク送信は互いに異なるサブフレームで実行される。
【００３８】
図３は、一つのダウンリンクスロットに対するリソースグリッド（ｒｅｓｏｕｒｃｅ  ｇｒｉｄ）の一例を示す。
【００３９】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおけるＮＲＢは、６０〜１１０のうちいずれか一つである。一つのリソースブロックは、周波数領域で複数の副搬送波を含む。アップリンクスロットの構造も前記ダウンリンクスロットの構造と同じである。
【００４０】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ、ｌ）により識別されることができる。ここで、ｋ（ｋ＝０，．．．，ＮＲＢ×１２−１）は周波数領域内の副搬送波インデックスであり、ｌ（ｌ＝０，．．．，６）は時間領域内のＯＦＤＭシンボルインデックスである。
【００４１】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は、１２８、２５６、５１２、１０２４、１５３６、及び２０４８のうち一つを選定して使用することができる。
【００４２】
図４は、ダウンリンクサブフレームの構造を示す。
【００４３】
ダウンリンクサブフレームは時間領域で２個のスロットを含み、各スロットはノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は、制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００４４】
ＰＤＣＣＨは、ＤＬ−ＳＣＨ（Ｄｏｗｎｌｉｎｋ−Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で送信されることができ、端末は複数のＰＤＣＣＨをモニタリングすることができる。ＰＤＣＣＨは、一つまたは複数個の連続的なＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関連関係によってＰＤＣＣＨのフォーマット及び可能なＰＤＣＣＨのビット数が決定される。
【００４５】
基地局は、端末に送ろうとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報（ＳＩＢ；Ｓｙｓｔｅｍ  Ｉｎｆｏｒｍａｔｉｏｎ  Ｂｌｏｃｋ）のためのＰＤＣＣＨの場合、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングされることができる。
【００４６】
図５は、アップリンクサブフレームの構造を示す。
【００４７】
アップリンクサブフレームは、周波数領域で制御領域とデータ領域とに分けられることができる。前記制御領域は、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。前記データ領域は、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。上位階層で指示される場合、端末はＰＵＳＣＨとＰＵＣＣＨの同時送信をサポートすることができる。
【００４８】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピング（ｆｒｅｑｕｅｎｃｙ−ｈｏｐｐｅｄ）されたという。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００４９】
ＰＵＣＣＨ上に送信されるアップリンク制御情報には、ＨＡＲＱ（Ｈｙｂｒｉｄ  Ａｕｔｏｍａｔｉｃ  Ｒｅｐｅａｔ  ｒｅＱｕｅｓｔ）ＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）、ダウンリンクチャネル状態を示すＣＱＩ（Ｃｈａｎｎｅｌ  Ｑｕａｌｉｔｙ  Ｉｎｄｉｃａｔｏｒ）、アップリンク無線リソース割当要求であるＳＲ（Ｓｃｈｅｄｕｌｉｎｇ  Ｒｅｑｕｅｓｔ）などがある。
【００５０】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  Ｉｎｄｉｃａｔｏｒ）、ＨＡＲＱ、ＲＩ（Ｒａｎｋ  Ｉｎｄｉｃａｔｏｒ）などがある。または、アップリンクデータは制御情報のみで構成されることもできる。
【００５１】
３ＧＰＰ  ＬＴＥ−Ａは、搬送波集合（ｃａｒｒｉｅｒ  ａｇｇｒｅｇａｔｉｏｎ）システムをサポートする。搬送波集合システムは、３ＧＰＰ  ＴＲ  ３６．８１５  Ｖ９．０．０（２０１０−３）を参照することができる。
【００５２】
搬送波集合システムは、無線通信システムが広帯域をサポートしようとする時、目標にする広帯域より小さい帯域幅を有する１個以上の搬送波を集めて広帯域を構成するシステムを意味する。搬送波集合システムは、帯域幅集合（ｂａｎｄｗｉｄｔｈ  ａｇｇｒｅｇａｔｉｏｎ）システムなど、他の名称で呼ばれることもある。搬送波集合システムは、各搬送波が連続する連続（ｃｏｎｔｉｇｕｏｕｓ）搬送波集合システムと各搬送波が互いに離れている不連続（ｎｏｎ−ｃｏｎｔｉｇｕｏｕｓ）搬送波集合システムとに区分されることができる。連続搬送波集合システムにおいて、各搬送波間に周波数間隔（ｆｒｅｑｕｅｎｃｙ  ｓｐａｃｉｎｇ）が存在することができる。１個以上の搬送波を集める時、対象となる搬送波は、既存システムとの後方互換性（ｂａｃｋｗａｒｄ  ｃｏｍｐａｔｉｂｉｌｉｔｙ）のために、既存システムで使用する帯域幅をそのまま使用することができる。例えば、３ＧＰＰ  ＬＴＥでは、１．４ＭＨｚ、３ＭＨｚ、５ＭＨｚ、１０ＭＨｚ、１５ＭＨｚ、及び２０ＭＨｚの帯域幅をサポートし、３ＧＰＰ  ＬＴＥ−Ａでは、前記３ＧＰＰ  ＬＴＥシステムの帯域幅のみを用いて２０ＭＨｚ以上の広帯域を構成することができる。または、既存システムの帯域幅をそのまま使用せずに新たな帯域幅を定義して広帯域を構成することもできる。
【００５３】
搬送波集合システムにおける端末は、容量に応じて一つまたは複数の搬送波を同時に送信または受信することができる。ＬＴＥ−Ａ端末は、複数の搬送波を同時に送信または受信することができる。ＬＴＥ  ｒｅｌ−８端末は、搬送波集合システムを構成する各搬送波がＬＴＥ  ｒｅｌ−８システムと互換される時、一つの搬送波のみを送信または受信することができる。従って、少なくともアップリンクとダウンリンクで使われる搬送波の個数が同じ場合、全てのコンポーネント搬送波がＬＴＥ  ｒｅｌ−８と互換されるように構成される必要がある。
【００５４】
複数の搬送波を効率的に使用するために、複数の搬送波をＭＡＣ（Ｍｅｄｉａ  Ａｃｃｅｓｓ  Ｃｏｎｔｒｏｌ）で管理することができる。複数の搬送波を送／受信するために送信機及び受信機の両方ともが複数の搬送波を送／受信可能でなければならない。
【００５５】
図６は、搬送波集合システムを構成する送信機と受信機の一例である。
【００５６】
図６−（ａ）の送信機では一つのＭＡＣがｎ個の搬送波を全部管理及び運営してデータを送受信する。これは図６−（ｂ）の受信機でも同様である。受信機の立場で、コンポーネント搬送波当たり一つのトランスポートブロック（ｔｒａｎｓｐｏｒｔ  ｂｌｏｃｋ）と一つのＨＡＲＱエンティティ（ｅｎｔｉｔｙ）が存在することができる。端末は、複数の搬送波に対して同時にスケジューリングされることができる。図６の搬送波集合システムは、連続搬送波集合システムまたは不連続搬送波集合システムの両方ともに適用されることができる。一つのＭＡＣで管理する各々の搬送波は、互いに隣接する必要がなく、従って、リソース管理側面で柔軟であるという長所がある。
【００５７】
図７及び図８は、搬送波集合システムを構成する送信機と受信機の他の例である。
【００５８】
図７−（ａ）の送信機及び図７−（ｂ）の受信機では、一つのＭＡＣが一つの搬送波のみを管理する。即ち、ＭＡＣと搬送波が１対１に対応される。図８−（ａ）の送信機及び図８−（ｂ）の受信機では、一部搬送波に対してはＭＡＣと搬送波が１対１に対応され、残りの搬送波に対しては一つのＭＡＣが複数の搬送波を制御する。即ち、ＭＡＣと搬送波の対応関係によって多様な組合せが可能である。
【００５９】
図６乃至図８の搬送波集合システムは、ｎ個の搬送波を含み、各搬送波は、互いに隣接してもよく、離れていてもよい。搬送波集合システムは、アップリンクまたはダウンリンクの両方ともに適用されることができる。ＴＤＤシステムでは、各々の搬送波がアップリンク送信とダウンリンク送信を実行することができるように構成され、ＦＤＤシステムでは、複数の搬送波をアップリンク用とダウンリンク用とに区分して使用することができる。一般的なＴＤＤシステムにおいて、アップリンクとダウンリンクで使われるコンポーネント搬送波の個数と各搬送波の帯域幅は同じである。ＦＤＤシステムでは、アップリンクとダウンリンクで使用する搬送波の数と帯域幅を各々異なるようにすることによって非対称（ａｓｙｍｍｅｔｒｉｃ）搬送波集合システムを構成するのも可能である。
【００６０】
図９は、非対称搬送波集合システムの一例を示す。
【００６１】
図９−（ａ）は、ダウンリンクコンポーネント搬送波（ＣＣ；Ｃｏｍｐｏｎｅｎｔ  Ｃａｒｒｉｅｒ）の個数がアップリンクＣＣの個数より多い搬送波集合システムの一例である。ダウンリンクＣＣ＃１及び＃２はアップリンクＣＣ＃１に対応され、ダウンリンクＣＣ＃３及び＃４はアップリンクＣＣ＃２に対応される。図９−（ｂ）は、ダウンリンクＣＣの個数がアップリンクＣＣの個数より少ない搬送波集合システムの一例である。ダウンリンクＣＣ＃１はアップリンクＣＣ＃１及び＃２に対応され、ダウンリンクＣＣ＃２はアップリンクＣＣ＃３及び＃４に対応される。一方、端末の立場でスケジューリングされたコンポーネント搬送波別に一つのトランスポートブロック（ｔｒａｎｓｐｏｒｔ  ｂｌｏｃｋ）と一つのＨＡＲＱ（Ｈｙｂｒｉｄ  Ａｕｔｏｍａｔｉｃ  Ｒｅｐｅａｔ  ｒｅｑｕｅｓｔ）エンティティ（ｅｎｔｉｔｙ）が存在する。各トランスポートブロックは、一つのコンポーネント搬送波にのみマッピングされる。端末は、複数のコンポーネント搬送波に同時にマッピングされることができる。
【００６２】
以下、アップリンク参照信号に対して説明する。
【００６３】
参照信号は一般的にシーケンスで送信される。参照信号シーケンスは、特別な制限無しに任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。または、参照信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を用いることができる。
【００６４】
アップリンク参照信号は、復調参照信号（ＤＭＲＳ；Ｄｅｍｏｄｕｌａｔｉｏｎ  Ｒｅｆｅｒｅｎｃｅ  Ｓｉｇｎａｌ）とサウンディング参照信号（ＳＲＳ；Ｓｏｕｎｄｉｎｇ  Ｒｅｆｅｒｅｎｃｅ  Ｓｉｇｎａｌ）とに区分されることができる。ＤＭＲＳは、受信された信号の復調のためのチャネル推定に使われる参照信号である。ＤＭＲＳは、ＰＵＳＣＨまたはＰＵＣＣＨの送信と結合されることができる。ＳＲＳは、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに用いる。ＳＲＳは、ＰＵＳＣＨまたはＰＵＣＣＨの送信と結合されない。ＤＭＲＳとＳＲＳのために同じ種類の基本シーケンスが使われることができる。一方、アップリンク多重アンテナ送信でＤＭＲＳに適用されたプリコーディングは、ＰＵＳＣＨに適用されたプリコーディングと同様である。循環シフト分離（ｃｙｃｌｉｃ  ｓｈｉｆｔ  ｓｅｐａｒａｔｉｏｎ）は、ＤＭＲＳを多重化する基本技法（ｐｒｉｍａｒｙ  ｓｃｈｅｍｅ）である。ＬＴＥ−ＡシステムにおけるＳＲＳは、プリコーディングされなくてもよく、アンテナ特定された参照信号であってもよい。
【００６５】
ＳＲＳは、端末や中継局が基地局に送信する参照信号であり、アップリンクデータや制御信号送信と関連されない参照信号である。ＳＲＳは、一般的にアップリンクで周波数選択的スケジューリングのためのチャネル品質推定のために使われるが、他の用途で使われることもできる。例えば、パワー制御や最初ＭＣＳ選択、データ送信のための最初パワー制御などにも使われることができる。ＳＲＳは、一般的に一つのサブフレームの最後のＳＣ−ＦＤＭＡシンボルで送信される。
【００６６】
ＳＲＳシーケンスｒＳＲＳ（ｎ）＝ｒｕ，ｖ（α）（ｎ）で定義される。参照信号シーケンスｒｕ，ｖ（α）（ｎ）は、数式２により基本シーケンスｂｕ，ｖ（ｎ）と循環シフトαに基づいて定義されることができる。
【００６７】
【数２】
0005625066.tif 000007
数式２で、ＭｓｃＲＳ（１≦ｍ≦ＮＲＢｍａｘ，ＵＬ）は、参照信号シーケンスの長さであり、ＭｓｃＲＳ＝ｍ＊ＮｓｃＲＢである。ＮｓｃＲＢは、周波数領域で副搬送波の個数で表すリソースブロックの大きさを示し、ＮＲＢｍａｘ，ＵＬは、ＮｓｃＲＢの倍数で表すアップリンク帯域幅の最大値を示す。複数の参照信号シーケンスは、一つの基本シーケンスから循環シフト値であるαを異なるように適用して定義されることができる。
【００６８】
基本シーケンスｂｕ，ｖ（ｎ）は複数のグループに分けられ、この時、ｕ∈｛０，１，．．．，２９｝はグループインデックスを示し、ｖはグループ内で基本シーケンスインデックスを示す。基本シーケンスは、基本シーケンスの長さ（ＭｓｃＲＳ）に依存する。各グループは、１≦ｍ≦５であるｍに対しては長さがＭｓｃＲＳである一つの基本シーケンス（ｖ＝０）を含み、６≦ｍ≦ｎＲＢｍａｘ，ＵＬであるｍに対しては長さがＭｓｃＲＳである２個の基本シーケンス（ｖ＝０，１）を含む。シーケンスグループインデックスｕとグループ内の基本シーケンスインデックスｖは、後述するグループホッピング（ｇｒｏｕｐ  ｈｏｐｐｉｎｇ）またはシーケンスホッピング（ｓｅｑｕｅｎｃｅ  ｈｏｐｐｉｎｇ）のように時間によって変わることができる。
【００６９】
また、ＳＲＳシーケンスで、ｕはＰＵＣＣＨシーケンスグループインデックスを示し、ｖは基本シーケンスインデックスを示す。循環シフト値αは、数式３により定義される。
【００７０】
【数３】
0005625066.tif 000008
ｎＳＲＳｃｓは、各端末に対して上位階層により構成される値であり、０から７までの整数のうちいずれか一つである。
【００７１】
ＳＲＳシーケンスは，送信電力ＰＳＲＳを満たすために、振幅スケーリング因子であるβＳＲＳをかけてリソース要素にマッピングされる。ＳＲＳシーケンスは、ｒＳＲＳ（０）から始めてリソース要素（ｋ，ｌ）に数式４によってマッピングされることができる。
【００７２】
【数４】
0005625066.tif 000009
数式４で、ｋ０はＳＲＳの周波数領域での開始位置（ｓｔａｒｔｉｎｇ  ｐｏｓｉｔｉｏｎ）であり、Ｍｓｃ，ｂＲＳは数式５により定義されるＳＲＳシーケンスの長さである。
【００７３】
【数５】
0005625066.tif 000010
数式５で、ｍＳＲＳ，ｂは、各アップリンク帯域幅ＮＲＢＵＬに対して後述する表１乃至表４により与えられることができる。
【００７４】
数式４のｋ０は、数式６により定義されることができる。
【００７５】
【数６】
0005625066.tif 000011
数式６で、ｋ０′は、一般アップリンクサブフレームでは
【００７６】
【化５】
0005625066.tif 000012
として与えられる。ｋＴＣ∈｛０，１｝は上位階層により端末に与えられるパラメータであり、ｎｂは周波数位置インデックスである。
【００７７】
ＳＲＳの周波数ホッピング（ｆｒｅｑｕｅｎｃｙ  ｈｏｐｐｉｎｇ）は、上位階層により与えられるパラメータｂｈｏｐ∈｛０，１，２，３｝により構成される。ＳＲＳの周波数ホッピングが可能でない場合（ｂｈｏｐ≧ＢＳＲＳ）、前記周波数位置インデックス
【００７８】
【化６】
0005625066.tif 000013
の定数で決定され、ｎＲＲＣは上位階層により与えられる。ＳＲＳの周波数ホッピングが可能な場合（ｂｈｏｐ＜ＢＳＲＳ）、前記周波数位置インデックスｎｂは、数式７により決定されることができる。
【００７９】
【数７】
0005625066.tif 000014
Ｎｂは後述する表１乃至表４により決定され、Ｆｂ（ｎＳＲＳ）は数式８により決定されることができる。
【００８０】
【数８】
0005625066.tif 000015
数式８で、ｎＳＲＳは端末特定ＳＲＳ送信の回数を示し、数式９により決定されることができる。
【００８１】
【数９】
0005625066.tif 000016
数式９で、ＴＳＲＳはＳＲＳ送信の端末特定周期（ｐｅｒｉｏｄｉｃｉｔｙ）を示し、ＴｏｆｆｓｅｔはＳＲＳサブフレームオフセットを示し、Ｔｏｆｆｓｅｔ＿ｍａｘはＳＲＳサブフレームオフセットの特定構成のためのＴｏｆｆｓｅｔ値の最大値を示す。ＴＳＲＳとＴｏｆｆｓｅｔは、後述する表７及び表８により与えられることができる。
【００８２】
表１乃至表４は、ＳＲＳ帯域幅構成の一例を示す。３ビットのセル特定パラメータが８個のうち一つの帯域幅構成を指示するためにブロードキャストされることができる。また、２ビットの端末特定パラメータが４個のうち一つの帯域幅構成を指示するために上位階層から与えられることができる。
【００８３】
表１は、アップリンク帯域幅ＮＲＢＵＬが６≦ＮＲＢＵＬ≦４０の範囲である時、ｍＳＲＳ，ｂ及びＮｂ（但し、ｂ＝０，１，２，３）の一例である。
【００８４】
【表１】
0005625066.tif 000017
表２は、アップリンク帯域幅ＮＲＢＵＬが４０≦ＮＲＢＵＬ≦６０の範囲である時、ｍＳＲＳ，ｂ及びＮｂ（但し、ｂ＝０，１，２，３）の一例である。
【００８５】
【表２】
0005625066.tif 000018
表３は、アップリンク帯域幅ＮＲＢＵＬが６０≦ＮＲＢＵＬ≦８０の範囲である時、ｍＳＲＳ，ｂ及びＮｂ（但し、ｂ＝０，１，２，３）の一例である。
【００８６】
【表３】
0005625066.tif 000019
表４は、アップリンク帯域幅ＮＲＢＵＬが８０≦ＮＲＢＵＬ≦１１０の範囲である時、ｍＳＲＳ，ｂ及びＮｂ（但し、ｂ＝０，１，２，３）の一例である。
【００８７】
【表４】
0005625066.tif 000020
表１乃至表４で、セル特定パラメータであるＣＳＲＳ∈｛０，１，２，３，４，５，６，７｝と端末特定パラメータであるＢＳＲＳ∈｛０，１，２，３｝は上位階層により与えられる。
【００８８】
表５及び表６は、ＳＲＳ送信に対するセル特定サブフレーム構成周期パラメータＴＳＦＣとセル特定サブフレームオフセットパラメータΔＳＦＣの一例である。
【００８９】
表５は、ＦＤＤシステムでのＳＲＳサブフレーム構成の一例である。表５によると、ＳＲＳサブフレーム構成は、長さが４ビットであるパラメータにより指示されることができ、ＳＲＳサブフレームの周期は、１、２、５、及び１０サブフレームのうちいずれか一つになることができる。
【００９０】
【表５】
0005625066.tif 000021
表６は、ＴＤＤシステムでのＳＲＳサブフレーム構成の一例である。
【００９１】
【表６】
0005625066.tif 000022
ＳＲＳの送信のための端末での動作は、次の通りである。
【００９２】
端末がＳＲＳを送信する時、送信電力ＰＳＲＳは、数式１０により決定されることができる。
【００９３】
【数１０】
0005625066.tif 000023
数式１０で、ｉはサブフレームインデックスを示し、ＰＣＭＡＸは予め指定された端末の送信電力を示し、ＰＳＲＳ＿ＯＦＦＳＥＴは上位階層により決定される４ビット長さの端末特定パラメータを示し、ＭＳＲＳはインデックスがｉであるサブフレームでリソースブロックの個数で表すＳＲＳ送信の帯域幅を示し、ｆ（ｉ）はＰＵＳＣＨに対する現在電力制御調整状態を示す。
【００９４】
端末が送信アンテナ選択可能のとき、ｎＳＲＳ時間にＳＲＳを送信する端末アンテナのインデックスａ（ｎＳＲＳ）は、周波数ホッピングが可能でない場合には、全サウンディング帯域幅または部分サウンディング帯域幅に対してａ（ｎＳＲＳ）＝ｎＳＲ  Ｓ  ｍｏｄ２として与えられ、周波数ホッピングが可能な場合には、数式１１により与えられることができる。
【００９５】
【数１１】
0005625066.tif 000024
数式１１で、ＢＳＲＳはＳＲＳ帯域幅を示し、ｂｈｏｐは周波数ホッピング帯域幅を示す。Ｎｂは、ＣＳＲＳとＢＳＲＳにより予め決定された表により決定されることができる。
【００９６】
【化７】
0005625066.tif 000025
である。
【００９７】
数式１１で、βは、数式１２により決定されることができる。
【００９８】
【数１２】
0005625066.tif 000026
ＴＤＤシステムで、ＵｐＰＴＳ（Ｕｐｌｉｎｋ  Ｐｉｌｏｔ  Ｔｉｍｅ  Ｓｌｏｔ）内に一つのＳＣ−ＦＤＭＡシンボルが存在する場合、該当ＳＣ−ＦＤＭＡシンボルは、ＳＲＳ送信のために使われることができる。ＵｐＰＴＳ内に２個のＳＣ−ＦＤＭＡシンボルが存在する場合、２個の該当ＳＣ−ＦＤＭＡシンボルは全部ＳＲＳ送信のために使われることができ、一つの端末に同時に割り当てられることもできる。
【００９９】
端末は、ＳＲＳの送信とＰＵＣＣＨフォーマット２／２ａ／２ｂの送信が同じサブフレームで同時に発生する場合、いつもＳＲＳを送信しない。
【０１００】
端末は、ａｃｋＮａｃｋＳＲＳ−ＳｉｍｕｌｔａｎｅｏｕｓＴｒａｎｓｍｉｓｓｉｏｎパラメータがフォールス（ｆａｌｓｅ）である場合、ＳＲＳ送信とＡＣＫ／ＮＡＣＫ及び／または肯定（ｐｏｓｉｔｉｖｅ）ＳＲを運ぶＰＵＣＣＨの送信が同じサブフレームで実行されると、いつもＳＲＳを送信しない。また、端末は、ａｃｋＮａｃｋＳＲＳ−ＳｉｍｕｌｔａｎｅｏｕｓＴｒａｎｓｍｉｓｓｉｏｎパラメータがトルー（ｔｒｕｅ）である場合、ＳＲＳ送信とＡＣＫ／ＮＡＣＫ及び／または肯定ＳＲを運ぶＰＵＣＣＨの送信が同じサブフレームで実行されると、縮小された（ｓｈｏｒｔｅｎｅｄ）ＰＵＣＣＨフォーマットを使用し、ＡＣＫ／ＮＡＣＫ及び／または肯定ＳＲを運ぶＰＵＣＣＨとＳＲＳを同時に送信する。即ち、セル特定するように設定されるＳＲＳサブフレーム内にＡＣＫ／ＮＡＣＫ及び／または肯定ＳＲを運ぶＰＵＣＣＨが構成される場合には、縮小された（ｓｈｏｒｔｅｎｅｄ）ＰＵＣＣＨフォーマットを使用し、ＡＣＫ／ＮＡＣＫ及び／または肯定ＳＲを運ぶＰＵＣＣＨとＳＲＳを同時に送信する。ＳＲＳ送信がプリアンブル（ｐｒｅａｍｂｌｅ）フォーマット４のためのＰＲＡＣＨ（Ｐｈｙｓｉｃａｌ  Ｒａｎｄｏｍ  Ａｃｃｅｓｓ  Ｃｈａｎｎｅｌ）領域と重なる場合、或いはセルで構成されたアップリンクシステム帯域幅の範囲を超過する場合、端末はＳＲＳを送信しない。
【０１０１】
上位階層により与えられるパラメータであるａｃｋＮａｃｋＳＲＳ−ＳｉｍｕｌｔａｎｅｏｕｓＴｒａｎｓｍｉｓｓｉｏｎは、端末がＡＣＫ／ＮＡＣＫを運ぶＰＵＣＣＨとＳＲＳを一つのサブフレームで同時に送信することをサポートするか否かを決定する。もし、端末がＡＣＫ／ＮＡＣＫを運ぶＰＵＣＣＨとＳＲＳを一つのサブフレームで同時に送信することと構成されると、端末はセル特定ＳＲＳサブフレームでＡＣＫ／ＮＡＣＫとＳＲＳを送信することができる。この時、縮小された（ｓｈｏｒｔｅｎｅｄ）ＰＵＣＣＨフォーマットが使われることができ、ＳＲＳが送信される位置に対応されるＡＣＫ／ＮＡＣＫまたはＳＲの送信は省略される（ｐｕｎｃｔｕｒｅｄ）。縮小されたＰＵＣＣＨフォーマットは、端末が該当サブフレームでＳＲＳが送信されない場合にもセル特定ＳＲＳサブフレームで使われる。もし、端末がＡＣＫ／ＮＡＣＫを運ぶＰＵＣＣＨとＳＲＳを一つのサブフレームで同時に送信しないことと構成されると、端末はＡＣＫ／ＮＡＣＫ及びＳＲの送信のために一般的なＰＵＣＣＨフォーマット１／１ａ／１ｂを使用することができる。
【０１０２】
表７及び表８は、ＳＲＳ送信周期であるＴＳＲＳとＳＲＳサブフレームオフセットであるＴｏｆｆｓｅｔを指示する端末特定ＳＲＳ構成の一例である。ＳＲＳ送信周期ＴＳＲＳは、｛２，５，１０，２０，４０，８０，１６０，３２０｝ｍｓのうちいずれか一つに決定されることができる。
【０１０３】
表７は、ＦＤＤシステムでのＳＲＳ構成の一例である。
【０１０４】
【表７】
0005625066.tif 000027
表８は、ＴＤＤシステムでのＳＲＳ構成の一例である。
【０１０５】
【表８】
0005625066.tif 000028
ＴＤＤシステムで、ＴＳＲＳ＞２である場合とＦＤＤシステムでＳＲＳサブフレームは（１０＊ｎｆ＋ｋＳＲＳ−Ｔｏｆｆｓｅｔ）ｍｏｄ  ＴＳＲＳ＝０を満たす。ｎｆはフレームインデックスを示し、ｋＳＲＳはＦＤＤシステムではフレーム内でのサブフレームインデックスを示す。ＴＤＤシステムでＴＳＲＳ＝２である場合、２個のＳＲＳリソースが少なくとも一つのアップリンクサブフレームを含む半フレーム内に構成されることができ、ＳＲＳサブフレームは（ｋＳＲＳ−Ｔｏｆｆｓｅｔ）ｍｏｄ５＝０を満たす。
【０１０６】
ＴＤＤシステムにおけるｋＳＲＳは、表９により決定されることができる。
【０１０７】
【表９】
0005625066.tif 000029
一方、端末は、ＳＲＳの送信と任意接続応答グラント（Ｒａｎｄｏｍ  Ａｃｃｅｓｓ  Ｒｅｓｐｏｎｓｅ  Ｇｒａｎｔ）またはコンテンションベースの任意接続手順の一部として同一トランスポートブロック（ｔｒａｎｓｐｏｒｔ  ｂｌｏｃｋ）の再送信に対応されるＰＵＳＣＨの送信が同じサブフレーム内で実行される場合、いつもＳＲＳを送信しない。
【０１０８】
ＳＲＳ送信方法は、二つに区分されることができる。ＬＴＥ  ｒｅｌ−８で定義された方法により、ＲＲＣ（Ｒａｄｉｏ  Ｒｅｓｏｕｒｃｅ  Ｃｏｎｔｒｏｌ）シグナリングにより受信したＳＲＳパラメータによって周期的にＳＲＳを送信する周期的（ｐｅｒｉｏｄｉｃ）ＳＲＳ送信方法と、基地局から動的（ｄｙｎａｍｉｃ）に誘発（ｔｒｉｇｇｅｒ）されるメッセージに基づいて必要な時にＳＲＳを送信する非周期的（ａｐｅｒｉｏｄｉｃ）ＳＲＳ送信方法が存在する。ＬＴＥ−Ａで非周期的ＳＲＳ送信方法が導入されることができる。
【０１０９】
一方、周期的ＳＲＳ送信方法及び非周期的ＳＲＳ送信方法におけるＳＲＳは、端末特定（ＵＥ−ｓｐｅｃｉｆｉｃ）するように決定された端末特定ＳＲＳサブフレームで送信されることができる。ＬＴＥ  ｒｅｌ−８で定義された周期的ＳＲＳ送信方法で、セル特定ＳＲＳパラメータにより周期的にセル特定ＳＲＳサブフレームが設定され、セル特定ＳＲＳサブフレームのうち端末特定ＳＲＳパラメータにより設定される周期的な端末特定ＳＲＳサブフレームで周期的ＳＲＳが送信される。この時、周期的な端末特定ＳＲＳサブフレームは、セル特定ＳＲＳサブフレームの部分集合である。前記セル特定ＳＲＳパラメータは、上位階層（ｈｉｇｈｅｒ  ｌａｙｅｒ）により与えられることができる。非周期的ＳＲＳ送信方法で、非周期的ＳＲＳは、端末特定非周期的ＳＲＳパラメータにより決定される非周期的である端末特定ＳＲＳサブフレームで送信されることができる。非周期的ＳＲＳ送信方法の非周期的端末特定ＳＲＳサブフレームは、ＬＴＥ  ｒｅｌ−８に定義されているようにセル特定ＳＲＳサブフレームの部分集合であってもよい。または、非周期的端末特定ＳＲＳサブフレームは、セル特定ＳＲＳサブフレームと同じであってもよい。前記端末特定非周期的ＳＲＳパラメータも前記セル特定ＳＲＳパラメータと同様に上位階層により与えられることができる。端末特定非周期的ＳＲＳサブフレームは、前述した表７または表８のサブフレーム周期及びサブフレームオフセットにより設定されることができる。
【０１１０】
複数のＣＣを含む搬送波集合システムで、非周期的ＳＲＳが送信される方法に対してはまだ定義されたことがない。即ち、基地局が特定ＤＣＩフォーマットを介して端末に非周期的ＳＲＳの送信を要求する場合（基地局が非周期的ＳＲＳの送信をトリガ（ｔｒｉｇｇｅｒ）する場合）、端末がどのようなＵＬ  ＣＣを介してサウンディングを実行するかに対する情報と、どのようなリソースを使用してサウンディングを実行するかに対する情報とが必要である。
【０１１１】
以下、実施例を介して本発明を説明する。
【０１１２】
図１０は、提案された非周期的ＳＲＳ送信方法の一実施例を示す。
【０１１３】
ステップＳ１００で、端末は複数のＵＬ  ＣＣのうち特定ＵＬ  ＣＣを介して非周期的ＳＲＳを送信する。
【０１１４】
基地局が非周期的ＳＲＳの送信を１ビットを使用してトリガする場合、端末は多様な方法により決定されたＵＬ  ＣＣを介して非周期的ＳＲＳを送信することができる。
【０１１５】
１）端末は、予め決定されたＵＬ  ＣＣを介して非周期的ＳＲＳを送信することができる。この時、予め決定されたＵＬ  ＣＣは、ＰＣＣ（Ｐｒｉｍａｒｙ  ＣＣ）またはＳＣＣ（Ｓｅｃｏｎｄａｒｙ  ＣＣ）のうちいずれか一つであってもよく、ＰＣＣ及び第２のＣＣの両方ともが予め決定されたＣＣであってもよい。
【０１１６】
２）端末は、ＲＲＣシグナリングまたはＬ１／Ｌ２制御シグナリングにより決定されたＵＬ  ＣＣを介して非周期的ＳＲＳを送信することができる。非周期的ＳＲＳが送信されるＵＬ  ＣＣに対する情報がＬ１／Ｌ２シグナリングを介して送信される時、これはＤＬ  ＤＣＩフォーマットまたはＵＬ  ＤＣＩフォーマットに定義されることができる。ＤＬ  ＤＣＩフォーマットに定義される場合、搬送波指示子フィールド（ＣＩＦ；Ｃａｒｒｉｅｒ  Ｉｎｄｉｃａｔｏｒ  Ｆｉｅｌｄ）により指示されるＵＬ  ＣＣを介して非周期的ＳＲＳが送信されることができる。または、異なるフィールドによりＵＬ  ＣＣが指示されることができる。
【０１１７】
３）端末は、ＲＲＣシグナリングにより決定された構成ＵＬ  ＣＣ（ｃｏｎｆｉｇｕｒｅｄ  ＵＬ  ＣＣ）のうち一部ＵＬ  ＣＣを介して非周期的ＳＲＳを送信することもでき、この時、ＳＲＳが送信される一部ＵＬ  ＣＣは、ＲＲＣシグナリングまたはＬ１／Ｌ２制御シグナリング（ｃｏｎｔｒｏｌ  ｓｉｇｎａｌｉｎｇ）により指示されることができる。
【０１１８】
４−１）端末は、非周期的ＳＲＳ送信をトリガするメッセージが含まれたＵＬ  ＤＣＩフォーマットを送信するＤＬ  ＣＣと連結されているＵＬ  ＣＣを介して非周期的ＳＲＳを送信することができる。この時、ＤＬ  ＣＣとＵＬ  ＣＣとの連結は、ＳＩＢ−２連結関係を介して指示されることができる。
【０１１９】
４−２）端末は、非周期的ＳＲＳ送信をトリガするメッセージが含まれたＤＬ  ＤＣＩフォーマットを送信するＤＬ  ＣＣと連結されているＵＬ  ＣＣを介して非周期的ＳＲＳを送信することができる。この時、ＤＬ  ＣＣとＵＬ  ＣＣとの連結は、ＳＩＢ−２連結関係を介して指示されることができる。
【０１２０】
４−３）端末は、非周期的ＳＲＳ送信をトリガするメッセージが含まれたＵＬ  ＤＣＩフォーマットでスケジューリング情報が適用されるＵＬ  ＣＣを介して非周期的ＳＲＳを送信することができる。スケジューリング情報が適用されるＵＬ  ＣＣは、ＵＬ  ＤＣＩフォーマット内のＣＩＦにより指示されることができる。
【０１２１】
４−４）端末は、非周期的ＳＲＳ送信をトリガするメッセージが含まれたＤＬ  ＤＣＩフォーマットでスケジューリング情報が適用されるＤＬ  ＣＣと連結されているＵＬ  ＣＣを介して非周期的ＳＲＳを送信することができる。スケジューリング情報が適用されるＵＬ  ＣＣは、ＤＬ  ＤＣＩフォーマット内のＣＩＦによって指示されることができる。
【０１２２】
５）動的に（ｄｙｎａｍｉｃａｌｌｙ）または半動的（ｓｅｍｉ−ｄｙｎａｍｉｃａｌｌｙ）に割り当てられた追加的な制御信号フィールドを介して非周期的ＳＲＳが送信されるＵＬ  ＣＣを直接指示することもできる。
【０１２３】
６）端末の状態や送信モード（ＭＩＭＯ送信モードまたは非連続的（ｎｏｎ−ｃｏｎｔｉｇｕｏｕｓ）ＲＢ割当ベースの送信）の設定情報によって暗黙的に（ｉｍｐｌｉｃｉｔ）決定されたＵＬ  ＣＣを介して非周期的ＳＲＳを送信することができる。
【０１２４】
ＵＬ  ＣＣ内で非周期的ＳＲＳ送信のためのリソースは、多様な方法により割り当てられることができる。
【０１２５】
１）非周期的ＳＲＳ送信のためのリソースとして周期的ＳＲＳ送信のために使われるリソースをそのまま使用することができる。即ち、ＲＲＣシグナリングまたはＬ１／Ｌ２制御シグナリングなどにより提供されるセル特定ＳＲＳ帯域幅構成情報、端末特定ＳＲＳ帯域幅構成情報、送信コーム（ｔｒａｎｓｍｉｓｓｉｏｎ  ｃｏｍｂ）情報などのＳＲＳパラメータに基づいて非周期的ＳＲＳ送信のためにリソースが割り当てられることができる。
【０１２６】
２）周期的ＳＲＳのためのセル特定ＳＲＳ帯域幅構成または端末特定ＳＲＳ帯域幅構成などに関係無しに、ＬＴＥ  ｒｅｌ−８／９で定義する各システム帯域幅のうち使用可能な全体（ｗｈｏｌｅ  ｂａｎｄ）ＳＲＳ帯域幅を非周期的ＳＲＳの送信のために割り当てることができる。例えば、システム帯域幅が５ＭＨｚである場合には２４ＲＢ、システム帯域幅が１０ＭＨｚである場合には４８ＲＢ、システム帯域幅が１５ＭＨｚである場合には７２ＲＢ、システム帯域幅が２０ＭＨｚである場合には９６ＲＢを非周期的ＳＲＳの送信のために割り当てる。一つのサブフレーム内で非周期的ＳＲＳの送信のための時間リソースは、周期的ＳＲＳの送信のために使われるサブフレームの最後のＳＣ−ＦＤＭＡシンボルであり、非周期的ＳＲＳと周期的ＳＲＳは、多様な方法により多重化（ｍｕｌｔｉｐｌｅｘｉｎｇ）されることができる。
【０１２７】
３）セル特定ＳＲＳ帯域幅構成で端末特定するように設定することができるＳＲＳ帯域幅のうち最も大きい帯域幅を非周期的ＳＲＳの送信のために割り当てることができる。即ち、これは表１乃至表４でＢＳＲＳ＝０である場合である。
【０１２８】
４）セル特定ＳＲＳ帯域幅構成で端末特定するように設定することができるＳＲＳ帯域幅のうち一部帯域幅を使用して非周期的ＳＲＳを送信することができる。例えば、端末特定するように設定することができるＳＲＳ帯域幅を分割し、各分割帯域幅を介して順に非周期的ＳＲＳを送信することができる。各分割帯域幅の大きさは全部同じである。または、端末特定するように設定することができるＳＲＳ帯域幅の最大値より大きい帯域幅を介して非周期的ＳＲＳを送信することもできる。これは端末が自身に割り当てられた端末特定ＳＲＳ帯域幅と異なるＳＲＳ帯域幅を介して非周期的ＳＲＳを送ることができることを意味する。
【０１２９】
５）非周期的ＳＲＳは、新たに定義されるＳＲＳリソースを介して送信されることができ、ＳＲＳリソースは、ＤＭＲＳ送信のために使われるリソースを含むことができる。
【０１３０】
６）非周期的ＳＲＳは、時間領域で、ＤＣＩフォーマットによる時間リソースまたは非周期的ＳＲＳのための特定時間リソースを介して送信されることができる。例えば、ＤＬ  ＤＣＩにより非周期的ＳＲＳがトリガされる場合、非周期的ＳＲＳは、該当ＤＬ  ＤＣＩに対応されるＵＬ制御信号が送信されるＵＬサブフレームで送信されたり、該当ＵＬサブフレーム以後、最初に定義されたＳＲＳリソースである端末特定非周期的ＳＲＳサブフレームで送信されることができる。または、ＵＬ  ＤＣＩにより非周期的ＳＲＳがトリガされる場合、非周期的ＳＲＳは、該当ＵＬリソースが割り当てられるＵＬサブフレームで送信されたり、該当ＵＬサブフレーム以後、最初に定義されたＳＲＳリソースである端末特定非周期的ＳＲＳサブフレームで送信されることができる。または、非周期的ＳＲＳは、予め決定されたり、他の信号により指示される一定のオフセット（ｏｆｆｓｅｔ）によって送信されたり、その時点に最初に使用可能なＳＲＳリソースである端末特定非周期的ＳＲＳサブフレームで送信されることができる。
【０１３１】
非周期的ＳＲＳを複数のアンテナを介して送信するために多重化することができる。
【０１３２】
１）周期的ＳＲＳは、ＲＰＦ（Ｒｅｐｅｔｉｔｉｏｎ  Ｆａｃｔｏｒ）＝２により多重アンテナを介して送信される。非周期的ＳＲＳも同様にＲＰＦ＝２により多重アンテナを介して送信されることができる。このために、互いに異なる送信コームを設定することができて、同じ送信コーム内で互いに異なる循環シフト値を割り当て、ＣＤＭ（Ｃｏｄｅ  Ｄｉｖｉｓｉｏｎ  Ｍｕｌｔｉｐｌｅｘｉｎｇ）方法により多重化することができる。
【０１３３】
２）ＲＰＦ＝２でない他のＲＰＦ値により非周期的ＳＲＳを多重アンテナを介して送信することができる。
【０１３４】
３）または、複数のアンテナを介して非周期的ＳＲＳを送信し、全てのアンテナに対する非周期的ＳＲＳが同時に送信されないようにすることができる。即ち、非周期的ＳＲＳの送信において、各アンテナは、非周期的ＳＲＳを複数のアンテナを介してＴＤＭ（Ｔｉｍｅ  Ｄｉｖｉｓｉｏｎ  Ｍｕｌｔｉｐｌｅｘｉｎｇ）方式に多重化して送信することができる。この時、使用するリソースは、各アンテナが同じリソースを使用して送信することができる。例えば、周期的ＳＲＳの送信のために割り当てられたリソースを非周期的ＳＲＳの送信のために使用することができる。
【０１３５】
一方、特定ＵＬ  ＣＣを介して送信される非周期的ＳＲＳは、他のＵＬ  ＣＣを介して送信される他のＳＲＳと同時に送信されることができる。非周期的ＳＲＳが送信されるリソースと周期的ＳＲＳが送信されるリソースが重ならない場合、端末は、非周期的ＳＲＳと周期的ＳＲＳを同時に送信することができる。この時、端末は多様な方法により非周期的ＳＲＳと周期的ＳＲＳを複数のＵＬ  ＣＣを介して送信することができる。例えば、非周期的ＳＲＳが送信されるＵＬ  ＣＣは、ＰＣＣまたはアンカー（ａｎｃｈｏｒ）ＣＣとＳＣＣである。または、非周期的ＳＲＳが送信されるＵＬ  ＣＣは、ＲＲＣシグナリングにより決定された構成ＵＬ  ＣＣのうち一部ＵＬ  ＣＣであり、この時、ＳＲＳが送信される一部ＵＬ  ＣＣは、ＲＲＣシグナリングまたはＬ１／Ｌ２制御シグナリングにより指示されることができる。
【０１３６】
または、複数のＵＬ  ＣＣに対する非周期的ＳＲＳが一つのＵＬ  ＣＣを介してのみ送信されることができる。構成ＵＬ  ＣＣ内で、サブフレーム単位にＴＤＭ方式に多重化して一つのＵＬ  ＣＣを介して非周期的ＳＲＳを送信することができる。または、ＰＣＣと他の／異なるＵＬ  ＣＣがＴＤＭ方式に多重化されることができる。または、非周期的ＳＲＳの送信をトリガするＤＬ  ＣＣと連結されたＵＬ  ＣＣ内で、サブフレーム単位にＴＤＭ方式に多重化して非周期的ＳＲＳを送信することができる。または、ＤＬ  ＣＣとＵＬ  ＣＣとの連結などに関係なしに、使用可能な全てのＵＬ  ＣＣで、サブフレーム単位にＴＤＭ方式に多重化して非周期的ＳＲＳを送信することができる。ＴＤＭ方式に多重化された非周期的ＳＲＳの送信時、非周期的ＳＲＳの送信順序は、基地局が制御信号を介して指示したり、または予め決定されることができる。非周期的ＳＲＳの送信と予めＲＲＣに設定されている周期的ＳＲＳの送信が重なる場合、端末は、周期的ＳＲＳの送信を省略（ｄｒｏｐ）し、非周期的ＳＲＳの送信のみを実行することができる。この時、周期的ＳＲＳの送信を省略することは、非周期的ＳＲＳを送信するＵＬ  ＣＣと周期的ＳＲＳを送信するＵＬ  ＣＣが同じＵＬ  ＣＣである場合のみ適用されることができる。または、非周期的ＳＲＳを送信するＵＬ  ＣＣと周期的ＳＲＳを送信するＵＬ  ＣＣが互いに異なる場合にも周期的ＳＲＳの送信を省略し、非周期的ＳＲＳの送信のみを実行することができる。
【０１３７】
図１１は、本発明の実施例が具現される基地局及び端末のブロック図である。
【０１３８】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／または方法を具現する。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／または受信する。
【０１３９】
端末９００は、プロセッサ９１０、メモリ９２０、及びＲＦ部９３０を含む。プロセッサ９１０は、提案された機能、過程及び／または方法を具現する。無線インターフェースプロトコルの階層は、プロセッサ９１０により具現されることができる。メモリ９２０は、プロセッサ９１０と連結され、プロセッサ９１０を駆動するための多様な情報を格納する。ＲＦ部９３０は、プロセッサ９１０と連結され、複数のＵＬ  ＣＣのうち特定ＵＬ  ＣＣを介して非周期的ＳＲＳを送信する。前記特定ＵＬ  ＣＣは、アップリンクグラントによりスケジューリングされるＰＵＳＣＨが送信されるＵＬ  ＣＣと同じＵＬ  ＣＣであり、前記アップリンクグラントは、前記非周期的ＳＲＳの送信をトリガ（ｔｒｉｇｇｅｒ）するメッセージを含む。
【０１４０】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【０１４１】
前述した例示的なシステムで、方法は、一連のステップまたはブロックで順序図に基づいて説明されているが、本発明は、ステップの順序に限定されるものではなく、あるステップは前述と異なるステップと異なる順序にまたは同時に発生することができる。また、当業者であれば、順序図に示すステップが排他的でなく、他のステップが含まれたり、順序図の一つまたはその以上のステップが本発明の範囲に影響を及ぼさずに削除可能であることを理解することができる。
【０１４２】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正及び変更を含む。
【図１】
0005625066.tif 000030
【図２】
0005625066.tif 000031
【図３】
0005625066.tif 000032
【図４】
0005625066.tif 000033
【図５】
0005625066.tif 000034
【図６】
0005625066.tif 000035
【図７】
0005625066.tif 000036
【図８】
0005625066.tif 000037
【図９】
0005625066.tif 000038
【図１０】
0005625066.tif 000039
【図１１】
0005625066.tif 000040